(57)【特許請求の範囲】
【請求項１】
透液性トップシートと、不透液性バックシートとの間に吸収体が介在され、かつ表面側両側部に前後方向に沿って所定区間に亘り弾性伸縮部材による収縮力によって表面側に起立する立体ギャザーを備えるとともに、ほぼ体液排出部位に対応する吸収体側部位置に左右一対のウイングを備えた生理用ナプキンにおいて、
前記立体ギャザーの起立区間の略中心点が生理用ナプキンにおける前記体液排出部位より、少なくとも２０mm以上前方側に位置するとともに、生理用ナプキンの前端部から前記体液排出部位までの距離内に立体ギャザーの起立区間が存在し、前記立体ギャザーを起立させる弾性伸縮部材の収縮力によって生理用ナプキンの前端部分が曲線状に起立するとともに、前記体液排出部位よりも生理用ナプキンの後側部分では前記立体ギャザーが起立していないことを特徴とする生理用ナプキン。
【請求項２】
前記生理用ナプキンの前端部起立高さは１０mm以上である請求項１記載の生理用ナプキン。
【請求項３】
前記生理用ナプキンの前端部から体液排出部位までの距離は６０mm以上である請求項１、２いずれかに記載の生理用ナプキン。
【発明の詳細な説明】
【０００１】
【発明の属する技術分野】
本発明は、経血やおりものなどを吸収するための生理用ナプキンに係り、詳しくは前漏れの防止、身体へのフィット性の向上を図った生理用ナプキンに関する。
【０００２】
【従来の技術】
従来より、生理用ナプキンとして、ポリエチレンシートまたはポリエチレンラミネートシート不織布などの不透液性バックシートと、不織布または透液性プラスチックシートなどの透液性トップシートとの間に綿状パルプ等からなる吸収体を介在したものが知られている。
【０００３】
この種の生理用ナプキンにも幾多の改良が重ねられ、体液の漏れを防止するための手段が種々講じられている。これら体液漏れ防止手段の一つとして、表面側両側部に横漏れを防止する立体ギャザーを備えたものが存在する。例えば、図６に示される生理用ナプキン５０では、吸収体両側部に夫々サイド不織布５１，５１を配置し、このサイド不織布５１の内部に１または複数の弾性伸縮部材５２を伸長状態で配置することにより、弾性伸縮部材５２の収縮力によって表面側に起立する立体ギャザー５３，５３が形成されているとともに、体液排出部位Ｈの両側部にはそれぞれ側方に突出するウイングＷ、Ｗが形成されている。なお、ナプキン本体の非使用面側には、装着時のズレ止めを図るために、例えば複数条の粘着剤層が形成されているとともに、前記ウイングＷ、Ｗの非使用面側にも同じく粘着剤層が形成されている（図示せず）。
【０００４】
前記生理用ナプキン５０を下着３０に固定するには、図５に示されるように、生理用ナプキン５０を局所にあてがい、側方に突出する前記ウイングＷ、Ｗを下着より出し、下着のクロッチ部分を巻き込むようにしながら下着の股間部外面に接着するようにする。
【０００５】
前記立体ギャザー５３は、その起立区間が略前記ウイングＷの対応位置、すなわち体液排出部位Ｈに対応してその両側位置に配置され、前記体液排出部位Ｈを中心として前後方向にほぼ対称の区間幅で形成され、かつ製品全体を緩やかにカーブさせることで身体にフィットさせ横漏れを防止している。
【０００６】
【発明が解決しようとする課題】
しかしながら、女性の身体形状は、下腹部から股間部に至る身体ラインと、股間部から臀部に至る身体ラインとは対称的に曲線形状となっておらず、通常、股間部から臀部側に至る身体ラインの方が緩やかな曲線ラインとなっている。その結果、股間部から臀部側では身体に沿ってナプキンが装着され隙間も出来にくいのに対し、下腹部から股間部に至る部分ではナプキン形状がきつい曲線カーブに追従できず、着席や起立時等の姿勢時に、前側部分においてナプキンと身体との間に隙間が発生し、前漏れの原因となることがあった。
【０００７】
そこで本発明の主たる課題は、身体へのフィット性を向上させるとともに、前漏れを効果的に防止し得るようにした生理用ナプキンを提供することにある。
【０００８】
【課題を解決するための手段】
前記課題を解決するために請求項１に係る本発明として、透液性トップシートと、不透液性バックシートとの間に吸収体が介在され、かつ表面側両側部に前後方向に沿って所定区間に亘り弾性伸縮部材による収縮力によって表面側に起立する立体ギャザーを備えるとともに、ほぼ体液排出部位に対応する吸収体側部位置に左右一対のウイングを備えた生理用ナプキンにおいて、
前記立体ギャザーの起立区間の略中心点が生理用ナプキンにおける前記体液排出部位より、少なくとも２０mm以上前方側に位置するとともに、生理用ナプキンの前端部から前記体液排出部位までの距離内に立体ギャザーの起立区間が存在し、前記立体ギャザーを起立させる弾性伸縮部材の収縮力によって生理用ナプキンの前端部分が曲線状に起立するとともに、前記体液排出部位よりも生理用ナプキンの後側部分では前記立体ギャザーが起立していないことを特徴とする生理用ナプキンが提供される。
【０００９】
請求項２に係る本発明として、前記生理用ナプキンの前端部起立高さは１０mm以上である請求項１記載の生理用ナプキンが提供される。
【００１０】
請求項３に係る本発明として、前記生理用ナプキンの前端部から体液排出部位までの距離は６０mm以上である請求項１、２いずれかに記載の生理用ナプキンが提供される。
【００１１】
【発明の実施の形態】
以下、本発明の実施の形態について図面を参照しながら詳述する。
図１は本発明に係る生理用ナプキン１の展開図であり、図２は図１のII−II線矢視図、図３は図１のIII−III線矢視図、図４は図１のIV−IV線矢視図である。
【００１２】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、前記吸収体４の略両側縁部を起立基端とし前後方向に所定の区間内において表面側に突出して設けられた左右一対の立体ギャザー７，７とから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザー７を形成しているサイド不織布６とがホットメルトなどの接着剤やヒートシール等の接着手段によって接合され、これら不透液性バックシート２とサイド不織布６とによる複合シート部分によって側方に突出するウイングＷ、Ｗが形成されている。本発明では特に、身体へのフィット性を向上させるとともに、前漏れを効果的に防止するため、前記立体ギャザー７の起立区間を経血等の体液が排出される部位Ｈ（体液排出部位）よりも相対的に前側に位置させるようにしている。
【００１３】
以下、具体的に前記生理用ナプキン１の構造について詳述すると、前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００１４】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００１５】
また、前記透液性トップシート３に多数の透孔を形成した場合には、経血やおりもの等（以下、まとめて体液という。）が速やかに吸収されるようになり、ドライタッチ性に優れたものとなる。
【００１６】
前記吸収体４としては、体液を吸収・保持し得るものであれば良く、積繊パルプ、エアレイド、パルプ不織布等が使用される。一般にはフラッフ状パルプ中に吸水性ポリマー粉末を混入したものが吸収機能および価格の点から好適に使用される。前記吸収体４は図示のごとく、形状保持等のためにクレープ紙５によって囲繞するのが望ましい。
【００１７】
一方、前記透液性トップシート３面には、体液排出部位Ｈを含む範囲に形成された中高部１１を所定位置に保持するとともに、表面側にきっちりと膨出させる、および吸収した体液を封じ込める等のために、中高部１１の周縁に沿って小判状のエンボス１２が形成されている。また、前側領域には、円弧状エンボスの両端をそのまま中高部１１側まで延在させた略逆Ｕ字状エンボス１３およびその内側に円弧状エンボス１４が形成されているとともに、後側領域には円弧状エンボスの両端をそのまま中高部１１側まで延在させた略Ｕ字状エンボス１５がそれぞれ形成されている。
【００１８】
前記透液性トップシート３の幅寸法は、図示例では、図２および図３の横断面図に示されるように、吸収体４の幅よりも若干長めとされ、吸収体４を覆うだけに止まり、前記立体ギャザー７は前記透液性トップシート３とは別のサイド不織布６、具体的には経血やおりもの等が浸透するのを防止する、あるいは肌触り感を高めるなどの目的に応じて、適宜の撥水処理または親水処理を施した不織布素材を用いて構成されている。かかるサイド不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００１９】
前記サイド不織布６は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布６と不透液性バックシート２との積層シート部分により、ほぼ体液排出部位Ｈに対応する吸収体側部位置に左右一対のウイングＷ、Ｗが形成されている。このウイングＷ、Ｗの外面側（不透液性バックシート２側）には粘着部１６，１６を備え、図５に示されるように、ショーツ３０に対する装着時に、折返し線ＲＬ位置にて反対側に折返し、ショーツのクロッチ部分に巻き付けて生理用ナプキン１を止着するようにする。
【００２０】
前記サイド不織布６の内側部分はほぼ二重に折り返されるとともに、この二重シート内部には、その高さ方向中間部に両端または長手方向の適宜の位置が固定された１または複数の、図示例では３本の糸状弾性伸縮部材１７，１７…が配設され、その収縮力によって前記二重シート部分を表面側に起立させ、立体ギャザー７，７が形成されている。なお、前記立体ギャザー７の起立形状は、本例では外向きに逆ハ字状に起立させているが、内向きにハ字状に起立させてもよいし、さらに折り段数を多くしてく字状に起立させるようにしてもよい。
【００２１】
本生理用ナプキン１においては、特に身体へのフィット性を向上させるとともに、前漏れを効果的に防止するため、前記立体ギャザー７の形成位置を、起立区間Ｌの略中心点が生理用ナプキン１における体液排出部位Ｈよりも前方側に位置させるようにしている。この場合、前記立体ギャザーの起立区間の略中心点から生理用ナプキン１における体液排出部位Ｈまでの距離ＬＳは少なくとも２０mm以上、好ましくは３０mm以上であることが望ましい。前記距離ＬＳが２０mm未満の場合は、体液排出部位Ｈと立体ギャザー７形成位置とを一致させた従来のナプキンとの効果的な差異が明確とならず、前漏れを効果的に防止できない。
【００２２】
また、前記立体ギャザー７の起立範囲Ｌの前側端からナプキン１の前端部までの距離ＬＫは、１０〜５０mmとするのが望ましい。前記距離ＬＫが１０mm未満の場合は製造ラインにおいて弾性伸縮部材１７の接着が不確実に成りやすく、５０mmを超える場合は、弾性伸縮部材１７の収縮力をナプキンの前端部に作用させることができず、ナプキン前端部分を曲線状に起立させづらくなる。
【００２３】
前記立体ギャザー７を体液排出部位Ｈよりも前側に位置させることにより、前記立体ギャザー７を起立させる弾性伸縮部材１７，１７…の収縮力によって生理用ナプキン１の前端部分が図４に示されるように曲線状に起立するようになる。その結果、ナプキン形状が女性の身体形状により近付いた形状となるためフィット性が増すようになり効果的に前漏れを防止できるようになる。また、前記立体ギャザー７が身体との隙間が出来やすい前方側に位置することによってナプキン前側での横漏れを確実に防止できるようになる。
【００２４】
一方、前記生理用ナプキン１の前端部から前記体液排出部位Ｈまでの距離ＬＭは６０mm以上、好ましくは７０mm以上とするのが望ましい。前記距離ＬＭが６０mm未満であっても、ナプキン１の前方部分は曲線状に立ち上がり形状とできるが、製品前端部が大きな曲率で丸まり、逆に身体へのフィット性が無くなる。そのため、身体との隙間が出来やすくなり、前漏れを効果的に防止出来なくなる。
【００２５】
ナプキン前方部分の立ち上がり形状は、図４において、前記生理用ナプキン１の前端部起立高さＨ、すなわちナプキン前端部と前記体液排出部位Ｈに対応するナプキン下面との高低差は１０mm以上とし、かつナプキン前端部の接線と水平面との成す角度θが１０〜９０°、好ましくは３０〜７０°となるようにするのが望ましい。このような起立高さおよび起立角度でナプキン前端部分を起立させることにより、ナプキン１の形状が身体の下腹部から股間部形状に沿って確実にフィットするようになり、身体との隙間が出来にくくなって前漏れを効果的に防止できるようになる。
【００２６】
他方、前記立体ギャザー７は、体液排出部位Ｈの前側位置において吸収体４から漏れ出した経血等の漏れを確実に防止するには、その起立高さＨＧは少なくとも３mm以上必要で、好ましくは５mm以上とされる。また、立体ギャザー７を起立させる弾性伸縮部材１７は、弾性伸長率が１１０〜２００％、収縮力4.51×10-2〜1.81Ｎの範囲で配設するのがよい。
【００２７】
ところで、前記体液排出部位Ｈの位置は、本例のように、中高部１１の略中心位置や、ウイングＷの中心位置などによって特定されるものであるが、これら中高部１１やウイングＷ以外には、吸収体の側縁部に形成される湾曲ライン（フィットカット）の中心位置などによって特定される。また、特にこれらウイングやフィットカットなどが存在しないシンプルなナプキンの場合は、ほぼ縦方向中央位置として特定される。
【００２８】
【発明の効果】
以上詳説のとおり本発明によれば、身体へのフィット性が向上するとともに、前漏れを効果的に防止し得る等の利点を有するものとなる。
【図面の簡単な説明】
【図１】  本発明に係る生理用ナプキン１の展開図である。
【図２】  図１のII−II線矢視図である。
【図３】  図１のIII−III線矢視図である。
【図４】  図１のIV−IV線矢視図である。
【図５】  ナプキン１の装着状態図である。
【図６】  従来の生理用ナプキンの斜視図である。
【符号の説明】
１…生理用ナプキン、２…不透液性バックシート、３…透液性トップシート、４…吸収体、５…クレープ紙、６…サイド不織布、７…立体ギャザー、１１…中高部、１２〜１５…エンボス、Ｈ…体液排出部位
【図１】
0004140807.tif 000002
【図２】
0004140807.tif 000003
【図３】
0004140807.tif 000004
【図４】
0004140807.tif 000005
【図５】
0004140807.tif 000006
【図６】
0004140807.tif 000007